(57)【要約】      （修正有）【課題】空気を抜いて筒状に巻き取りができ、開閉弁で空気が抜けやすくすることができ、全体をコンパクトで、空気を抜く時間や空気入れる時間を短縮することができる自動膨張式敷具を提供する。【解決手段】袋体１１ａの内部に弾力性を有した内包物を有し、内包物の内部に含まれている空気が抜けることにより、筒状に巻き取りができる略直方体の自動膨張式敷具２において、筒状になった自動膨張式敷具の中心側の端と、筒状になった外面側の端の両方であって、略直方体の自動膨張式敷具２の四隅の内の何れかの複数個所に開閉弁３１が設けられている。【選択図】図４
2016026553.tif 000002
【特許請求の範囲】
【請求項１】
袋体の内部に弾力性を有した内包物を有し、前記内包物の内部に含まれている空気が抜けることにより、筒状に巻き取りができる略直方体の自動膨張式敷具において、前記筒状になった自動膨張式敷具の中心側の端と、前記筒状になった外面側の端の両方側であって、前記略直方体の自動膨張式敷具の四隅の内の何れかの複数個所に開閉弁が設けられていることを特徴とする自動膨張式敷具。
【請求項２】
前記開閉弁が前記略直方体の自動膨張式敷具の四隅の全てに設けられていることを特徴とする請求項１記載の自動膨張式敷具。
【請求項３】
前記略直方体の自動膨張式敷具の対向する辺にはマット相互を掛合するための掛合手段が設けられていることを特徴とする請求項２記載の自動膨張式敷具。
【発明の詳細な説明】
【技術分野】
【０００１】
本発明は、使用する場合には簡単な操作で自動的に膨張させることで空気による弾力のある敷具となり、収納や持ち運びをする場合には、内部の空気を抜いて体積を減少させることができる自動膨張式敷具に関する。
【背景技術】
【０００２】
従来から、気密性を有した袋体に空気を密閉した敷具、所謂エアーマットレスがあった。このエアーマットレスについては、使用する為に空気が抜けた状態から内部に空気を入れる操作について、人間が口から息を吹き込むには子供や女性等の肺活量の少ない者にとっては大変な作業となり、成人の男性であっても時間を掛けて行う必要があった。そして、簡単にエアーマットレスの内部に空気を注入するには、エアーポンプを用いる必要があった。
【０００３】
そこで、前記気密性を有した袋体の内部に連続発泡体の樹脂等の内包物を封入して内包物が膨張することで、前記気密性を有した袋体の内部に空気が導入される自動膨張式敷具があった。（特許文献１参照）もちろん、空気を抜く場合には手数は掛かるが、空気を入れることに比較して空気を抜く方が体重を使って押し潰すようにすれば、空気を入れるのに比較して面倒な作業ではなかった。
【０００４】
ここで、敷具とは、マットレス（略してマットとも言う。）やクッション等のことである。一般的にマットレスは主に人間が横たわれるくらいの面積があるものを指し、クッションの場合にはマットレスよりも小型のものを指す場合が多いが、両方ともに、人間の体を支える場合の緩衝材として用いるものであり、大きさによる違いだけである。
【先行技術文献】
【特許文献】
【０００５】
【特許文献１】特開平９−３９３号公報
【発明の概要】
【発明が解決しようとする課題】
【０００６】
しかしながら、特許文献１記載の自動膨張式敷具では、空気を抜くために使用される開閉弁が短辺方向に一か所だけであるので、空気を抜くのに時間が掛かるという問題があった。さらには、空気を内部から出来るだけ多く抜く場合には、開閉弁から最も離れた側から押しつぶしながら、開閉弁側に向かって押し潰しながら抜くという決まった箇所から巻き取ることを開始する必要があった。
【０００７】
さらには、自動膨張式敷具を持ち運びや収納をする場合に適した所定の大きさにしようとする場合に、自動膨張式敷具内の空気を端から万遍無く抜く必要があり、初めてする人や子供や女性等で非力な人にあっては空気を抜くのが難しい場合があった。そして、もし自動膨張式敷具の空気の抜き方が悪い場合には、巻き込まれた状態の自動膨張式敷具の中心部の空気を抜く際、再度自動膨張式敷具広げて押し潰しながら、きつく巻き直す必要がある場合が多く、自動膨張式敷具から空気を抜くのに手間が掛かるという問題があった。
【課題を解決するための手段】
【０００８】
上記の課題を解決するため、本発明では、次の技術的手段を講じている。
【０００９】
第１発明の自動膨張式敷具は、袋体の内部に弾力性を有した内包物を有し、前記内包物の内部に含まれている空気が抜けることにより、筒状に巻き取りができる略直方体の自動膨張式敷具において、前記筒状になった自動膨張式敷具の中心側の端と、前記筒状になった外面側の端の両方であって、前記略直方体の自動膨張式敷具の四隅の内の何れかの複数個所に開閉弁が設けられたことを特徴としている。
【００１０】
第２発明の自動膨張式敷具は、請求項１記載の発明において、前記開閉弁が前記略直方体の自動膨張式敷具の四隅の全てに設けられていることを特徴としている。
【００１１】
第３発明の自動膨張式敷具は、請求項２記載の発明において、前記略直方体の自動膨張式敷具の対向する辺にはマット相互を掛合するための掛合手段が設けられていることを特徴としている。
【発明の効果】
【００１２】
以上のような技術的手段を有することにより、以下の効果を有する。
【００１３】
第１発明によれば、袋体の内部に弾力性を有した内包物を有し、前記内包物の内部に含まれている空気が抜けることにより、筒状に巻き取りができる略直方体の自動膨張式敷具において、前記筒状になった自動膨張式敷具の中心側の端と、前記筒状になった外面側の端の両方であって、前記略直方体の自動膨張式敷具の四隅の内の何れかの複数個所に開閉弁が設けられていることで、前記開閉弁が、自動膨張式敷具の外周から突出しない状態で取り付けることが可能であると同時に、巻き取りをする場合でも、前記開閉弁が内部に埋もれることがないので、より空気が抜けやすくすることができる。
【００１４】
そして、自動膨張式敷具の巻き取りを開始して最終的に空気を抜ける側が自動膨張式敷具の両側にあることになることで、巻き取りを開始する側をどちら側からでも開始することができるので、自動膨張式敷具の持ち運びや収納作業がスムーズに行える。
【００１５】
また、自動膨張式敷具の巻き取り作業中に中心側の空気が十分に抜けてない状態でも外部から押すことで簡単に巻き取りした途中の略円筒形状の直径を小さくすることができるので、巻き取りをやり直したりする必要がなく、自動膨張式敷具全体をコンパクトな状態にすることができる。そしてそのため、空気を抜く時間も短くすることができる。
【００１６】
さらには、空気が抜けた自動膨張式敷具に再度空気を入れる場合についても、長手方向の両側から空気が入るので、自動膨張式敷具に空気を入れる時間を早くすることができる。そのため、自動膨張式敷具の長さや大きくする場合でも空気が入る時間が短縮することが可能となる。
【００１７】
第２発明によれば、第１発明の効果に加えて、前記開閉弁が前記略直方体の自動膨張式敷具の四隅の全てに設けられていることで、第１発明の効果を最大限発揮させることが可能になる。
【００１８】
第３発明によれば、第２発明の効果に加えて、前記略直方体の敷具の対向する辺にはマット相互を掛合するための手段が設けられていることで、複数の自動膨張式敷具の相互を繋ぎ合わせて、広い面積の自動膨張式敷具にすることが可能となり、広い面積が必要な場合の、例えば体格の良い人についての自動膨張式敷具として使用することができる。
【図面の簡単な説明】
【００１９】
【図１】本発明に係る実施例１の自動膨張式敷具の外観図である。
【図２】本発明に係る実施例１の内包物の外観図である。
【図３】本発明に係る実施例１の筒状にした場合の説明図である。
【図４】本発明に係る実施例２の自動膨張式敷具の外観図である。
【図５】本発明に係る実施例２の内包物の外観図である。
【図６】本発明に係る実施例３の自動膨張式敷具の外観図である。
【図７】本発明に係る実施例３の自動膨張式敷具の掛合手段についての説明図である。
【発明を実施するための形態】
【００２０】
発明を実施する形態について、図面に基づいて具体的に説明する。
【実施例１】
【００２１】
本発明の実施例１の自動膨張式敷具１について、図１を用いて説明する。自動膨張式敷具１は、袋体１１と、袋体１１の内部に納められた内包物２１と、袋体１１の四隅の各々１個ずつ設けられた開閉弁３１とからなる。図１においては、内包物２１は袋体１１の内部に納められているために図示されていない。自動膨張式敷具１は、内包物２１が圧縮されてない状態での形状に合う様に、略直方体の形状に維持しており、４個の開閉弁３１は閉められているために、内部の空成が漏れない状態となっており、内部の空気で自動膨張式敷具１自体が適当な弾力を備えている。
【００２２】
本実施例において自動膨張式敷具１の大きさについては、大人が寝る場合に使用することを想定した、短辺が６００ミリメートル、長辺が１９００ミリメートル、厚み９０ミリメートルとしている。
【００２３】
なお、短辺については、持ち運びに便利な様にするためと、後述する掛合手段１６により自動膨張式敷具１を複数接続して幅広の敷具とすることが可能なため６００ミリメートルという様に短くしている。
また、厚みについては、敷具とし必要な弾力性と、自動膨張式敷具１の空気を抜いた場合に薄くなって携帯性が優れている様にできることから９０ミリメートルとしている。
よって、自動膨張式敷具１の用途や機能によっては、短辺、長辺や厚みについては自由に選択することができる。さらには、自動膨張式敷具１の形状自体についても、略直方体以外の六角柱等の形状としても良い。
【００２４】
自動膨張式敷具１の外面を覆う袋体１１は、自動膨張式敷具１としての強度と、自動膨張式敷具１としての柔軟性と、内部に空気を貯留することが可能な気密性とを備えた、所定の厚みに成形されたポリエステル、ポリ塩化ビニル等、ポリエチレンやポリプロピレン等の合成樹脂のシートで形成されている。なお、自動膨張式敷具１としての強度と、自動膨張式敷具１としての柔軟性と、内部に空気を貯留することが可能な気密性とを備えた材料ならばどのような材料でも良く、例えば、天然素材である皮革や布等に合成樹脂を含浸させて気密性を持たせた材料でも良い。
【００２５】
この合成樹脂のシートを内部に略直方体の空間ができる様に、接着または溶着等の自動膨張式敷具１としての機能を発揮できる強度を有する方法で貼り合されていることで袋状の袋体１１に形成されている。本実施例において自動膨張式敷具１の長辺側の合成樹脂のシート相互の貼り合せ部１２と、短辺側の貼り合せ部１３が、自動膨張式敷具１の厚み部分に該当する面から自動膨張式敷具１の周囲に向かって一定の幅で張り出さされている。
【００２６】
また、長辺側の貼り合せ部１２には、複数の自動膨張式敷具１を並べた状態で接続して自動膨張式敷具１の面積を広げるための掛合手段１６が設けられている。掛合手段１６は、金属製または合成樹脂製のスナップボタンを、複数の自動膨張式敷具１を互いに掛合できる様に、一方の貼り合せ部１２側にはスナップボタンの凸側だけが取り付けられ、他方の貼り合せ部１２の側にはスナップボタンの凹側だけが取り付けられている。なお、掛合手段１６については、スナップボタンではなく、ファスナーや面ファスナーを用いても良い。
さらには、本実施例においては、長辺側にのみ掛合手段１６を設けているが、短辺側にも設けても良い。
【００２７】
袋体１１の四隅にある開閉弁３１については、開閉弁３１が開弁する場合以外は、袋体１１内部の空気の出入りが出来ない様に袋体１１と開閉弁３１は接着または溶着等の容易に剥がれない方法で取り付けられている。開閉弁３１はステンレス、鉄、銅または銅合金等金属製、またはポリ塩化ビニル、ＡＢＳ樹脂またはポリプロピレン等の合成樹脂製やこれらの混合した材料で形成されており、端部の開口部を覆う断面凹状（キャップ状）で内面に前記端部の外面と螺合する蓋が取り付けられている。
【００２８】
前記蓋がねじ込まれることで、端部の開口部を塞ぐことができ、前記蓋を緩めることで、蓋に設けられている複数の孔が前記端部の開口部と連通するように構成されているので、蓋を緩めると前記端部の開口部が開放されて、袋体１１の内部に袋体１１の外部の空気を導入することが可能となり、袋体１１を外部から押せば袋体１１の内部にある空気を抜くことが可能となる。
【００２９】
気密性を有した袋体１１に内蔵された内包物２１については、図２を用いて説明する。内包物２１は、ポリスチレン、ポリウレタン、ポリエチレン、ポリプロピレン、ポリ塩化ビニル樹脂などの合成樹脂を連続気泡型の発泡をさせたものである。また、発泡倍率については、使用する合成樹脂の種類によっても異なるが、袋体１１の内部において、自動膨張式敷具１の形状になる様に膨らむことが可能な程度で、自動膨張式敷具１の内部の空気を抜いた場合に出来るだけ薄くなる様な発泡倍率に設定して発泡させられている。
【００３０】
本実施例においては１立方メートル当たり２０キログラムの密度で連続発泡させたポリウレタンを所定の形状になる様に成形したものが使用されている。内包物２１の形状については、前述の様に袋体１１の内部で膨張して短辺が６００ミリメートル、長辺が１９００ミリメートル、厚み９０ミリメートルの自動膨張式敷具１になることが可能な大きさとなっている。
【００３１】
内包物２１の天面側２２と底面側２３には、４個の開閉弁３１をクロスして結び、略「Ｘ」字状になる溝２４が設けられており、この溝２４によって、開閉弁３１を緩めて自動膨張式敷具１の内部に空気を入れる場合や、自動膨張式敷具１の内部から空気を抜く作業が容易となると同時に作業時間を短縮することができる。なお、内包物２１の発泡の倍率によっては溝２４を設けなくても空気の抜けやすい場合もあるので、溝２４を省略しても良い。
【００３２】
内包物２１については、連続発泡させた合成樹脂として説明したが、繊維状のポリエチレンやポリエステル等の合成樹脂を絡ませて内部に連続した空間できる三次元的な形態に成形させて、前述の略立方体の形状にさせる様にしたものとしても良い。また、内包物２１については、自動膨張式敷具１において空気を抜いた状態で巻き取ることが可能であると同時に、空気が抜けた状態で開閉弁３１を開弁すると、袋体１１が略立方体の形状に膨張させることが可能なもので良く、例えば、弾力性を有すると同時に反復復元性を有した合成樹脂や金属等の柱や梁で略立法体状の枠体を形成し、内部の大きな空間を設ける様にしても良い。
【００３３】
自動膨張式敷具１の内部の空気を抜き、筒状に丸めることについて図３を用いて説明する。図３は、自動膨張式敷具１の４個の開閉弁３１の蓋を緩めて自動膨張式敷具１を押し潰すことで、自動膨張式敷具１の内部の空気を抜きながら、自動膨張式敷具１の短辺側のどちらかの端側から巻き込むようにして筒状にしたものである。筒状にした時点で帯状の紐や面ファスナー式のバンド等の結束具６で自動膨張式敷具１の筒状の形状を維持させる。同時に、４個の開閉弁３１の蓋を閉めて、自動膨張式敷具１の内部に空気が入らない様にして、自動膨張式敷具１は空気が抜けた状態を維持させられている。
【実施例２】
【００３４】
本発明の実施例２の自動膨張式敷具２について、図４を用いて説明する。自動膨張式敷具２は、袋体１１ａと、袋体１１ａの内部に納められた内包物２１ａと、袋体１１ａの対角状の２つの隅に各々１個ずつ設けられた開閉弁３１とからなる。図４においては、内包物２１ａは袋体１１ａの内部に納められているために図示されていない。実施例２の自動膨張式敷具２と、実施例１の自動膨張式敷具１との違いは、開閉弁３１の個数の違いであることから、袋体１１ａの材質や大きさ等については実施例１の袋体１１と同一であるので説明を省略する。また、掛合手段１６や開閉弁３１等についても同一のものを使用しているので、実施例１と同一の符号を附して説明を省略する。
【００３５】
気密性を有した袋体１１ａに内蔵された内包物２１ａについては、図５を用いて説明する。内包物２１ａの材質や大きさ等については、実施例１の内包物２１と同一であるので説明を省略する。内包物２１ａの天面側２２ａと底面側２３ａには、２個の開閉弁３１と開閉弁３１が設けられてない自動膨張式敷具２の二つの隅を結ぶ様に、略「Ｎ」字状になる溝２５によって、開閉弁３１を緩めて自動膨張式敷具２の内部に空気を入れる場合や、自動膨張式敷具２の内部から空気を抜く作業が容易となると同時に作業時間を短縮することができる。なお、内包物２１ａの発泡の程度によっては溝２５を設けなくても空気の抜けやすい場合もあるので、溝２５を省略しても良い。
【００３６】
実施例２の自動膨張式敷具２から空気を抜いて筒状に丸めた場合については、実施例１の図３の最も手前側に図示された開閉弁３１と、図中には隠れて図示されて無い側の開閉弁３１がなくなるだけであるので、自動膨張式敷具２について筒状に丸める方法については説明を省略する。
【実施例３】
【００３７】
本発明の実施例３の自動膨張式敷具３（３ａ、３ｂ）について、図６を用いて説明する。自動膨張式敷具３は、袋体１１ｂと、袋体１１ｂの内部に納められた内包物２１ａと、袋体１１ｂの四隅の各々１個ずつ設けられた開閉弁３１とからなる。図６においては、内包物２１ａについては、袋体１１ｂの内部に納められているために図示されていない。実施例３の自動膨張式敷具３と、実施例１の自動膨張式敷具１との違いは、袋体１１ｂに設けられている掛合手段１７の違いであることから、内包物２１ａの材質や大きさ等については実施例１の内包物２１ａと同一であり、開閉弁３１の形状や取り付け位置個数についても実施例１の開閉弁３１と同一であるので同一の符号を附して説明を省略する。
【００３８】
なお、実施例３においては、掛合手段１７について説明するため、同一の自動膨張式敷具３を２個並列に並べた状態として図示しており、便宜的に２個の自動膨張式敷具３を区別するために自動膨張式敷具３ａと自動膨張式敷具３ｂと符号を付している。
【００３９】
自動膨張式敷具３ａ、３ｂの夫々の気密性を有した袋体１１ｂの長辺側には、複数の自動膨張式敷具３ａ、３ｂを並列に並べた状態で接続し、自動膨張式敷具全体の面積を広げるための掛合手段１７ａと掛合手段１７ｂが設けられている。掛合手段１７ａと掛合手段１７ｂは互いに掛合することで、一組の掛合手段１７となる。この一組の掛合手段１７は、単にファスナーと呼ばれる場合が多いが、線状に接合することから線ファスナーとも呼ばれている。
【００４０】
線ファスナーである掛合手段１７は、掛合手段１７ａと掛合手段１７ｂに分離された状態で、自動膨張式敷具３（３ａ、３ｂ）の両側の長辺側に取り付けられている。掛合手段１７ａと掛合手段１７ｂの自動膨張式敷具３の長辺側への取り付け方法については、長辺側の貼り合せ部１２に取り付けても良いが、実施例においては、自動膨張式敷具３ａ、３ｂの袋体１１ｂの袋体天面１４に掛合手段１７ａを取り付け、袋体１１ｂの袋体底面１５に掛合手段１７ｂを取り付けている。
【００４１】
図６においては、２個の自動膨張式敷具３ａ、３ｂを互いの長辺側が向かい合う様にして並列に並べ、自動膨張式敷具３ａの掛合手段１７ａと、自動膨張式敷具３ｂの掛合手段１７ｂにより互いに掛合し合った状態を図示している。掛合手段１７ａと掛合手段１７ｂが掛合して形成された掛合手段１７の幅、言い換えるならば、２個の自動膨張式敷具３（３ａ、３ｂ）が掛合手段１７によって平行に並べられた状態で、２個の自動膨張式敷具３（３ａ、３ｂ）の間の間隔については、自動膨張式敷具３（３ａ、３ｂ）の厚みとほぼ同じ長さになる様に掛合手段１７ａと掛合手段１７ｂは夫々の自動膨張式敷具３ａ、３ｂに取り付けられている。
【００４２】
図７において、自動膨張式敷具３の袋体１１ｂの袋体天面１４に掛合手段１７ａを取り付け、袋体１１ｂの袋体底面１５に掛合手段１７ｂを取り付け、掛合手段１７の幅が、自動膨張式敷具３の厚みとほぼ同じ長さにして取り付けられている理由について説明する。
図７（ａ）と図７（ｂ）において自動膨張式敷具３ａ、３ｂの短辺側から見た状態であり、自動膨張式敷具３ａ、３ｂ夫々の長辺側の間に設けられた掛合手段１７の動きを説明する図面である。
【００４３】
図７（ａ）は、図６と同様に、自動膨張式敷具３ａに自動膨張式敷具３ｂを結合させる場合であり、自動膨張式敷具３ａの掛合手段１７ａに、自動膨張式敷具３ｂの掛合手段１７ｂを掛合させている。自動膨張式敷具３ａが床面７に置かれた状態で、自動膨張式敷具３ｂの袋体底面１５に取り付けられた自動膨張式敷具３ｂの掛合手段１７ｂを自動膨張式敷具３ａの袋体天面１４に取り付けられた掛合手段１７ｂに取り付けるのであるから、自動膨張式敷具３ｂを浮かせた状態でとり付けることになる。
【００４４】
前述の状態で、掛合手段１７ａと掛合手段１７ｂは掛合されるが、２個の自動膨張式敷具３ａと自動膨張式敷具３ｂを同一の床面７に置いて結合した状態で使用したいのであるから、掛合手段１７ａと掛合手段１７ｂが掛合した掛合手段１７が出来ると、自動膨張式敷具３ｂを床面７に置こうとすると、自動膨張式敷具３ｂは自動膨張式敷具３ａの側に引っ張られることになる。
【００４５】
図７（ｂ）は、自動膨張式敷具３ｂが、床面７近傍まで移動した場合の図である。この場合においては、掛合手段１７の幅Ｗは自動膨張式敷具３ａ及び自動膨張式敷具３ｂの厚みＴとほぼ同じ長さであることから、掛合している掛合手段１７は、自動膨張式敷具３ｂを自動膨張式敷具３ａの間の間隔を狭める方向に引っ張ることになる。そのため、自動膨張式敷具３ａと自動膨張式敷具３ｂとの間の隙間は、掛合手段１７ａと掛合手段１７ｂの掛合で自動的に少なくなり、自動膨張式敷具３ａと自動膨張式敷具３ｂの間の隙間を少なくする結合が可能となる。
【００４６】
同時に、掛合手段１７ａと掛合手段１７ｂが掛合した掛合手段１７は、自動膨張式敷具３ａと自動膨張式敷具３ｂ夫々の側面側の間に隠れる状態となるので、自動膨張式敷具３ａと自動膨張式敷具３ｂの夫々の袋体天面１４に横たわる人に触れにくくなり、敷具としての使用感を向上させることができる。
【００４７】
本実施例においては、掛合手段１７を線ファスナーとして説明しているが、スナップボタンや、面ファスナーを用いて実施することも可能である。また、長辺側にのみ掛合手段１７を設けているが、短辺側にも設けても良い。
実施例３の自動膨張式敷具３から空気を抜いて筒状に丸めた場合については、実施例１の図３の掛合手段１６が掛合手段１７に変わるだけであるので、自動膨張式敷具３について筒状に丸める方法については説明を省略する。
【００４８】
以上、本発明について、実施例に基づき説明してきたが、本発明は何らこれらの実施例の構成に限定するものではない。例えば、実施例１の開閉弁３１については、四隅に４個の開閉弁３１としているが、筒状になった自動膨張式敷具１の中心側の端と、前記筒状になった外面側の端の両方に開閉弁３１を付ければ良いので、１個を減らして３個の開閉弁３１とする場合でも良い。同様に、実施例２の開閉弁についても、筒状になった自動膨張式敷具２の中心側の端と、前記筒状になった外面側の端の両方に開閉弁３１がついているのであれば、対角に２個の開閉弁３１を取り付けるものではなく、同一の長辺側に２個の開閉弁３１を取り付ける様にしても良い。
【産業上の利用可能性】
【００４９】
本発明の自動膨張式敷具は、場所を取らずに持ち運びや収納することが可能であり、屋外でのキャンプやキャンピングカー等での利用や、災害時の緊急用の寝具として利用可能であることと、量産することも容易であることから産業上の利用可能性を有している。
【符号の説明】
【００５０】
１、２、３、３ａ、３ｂ：自動膨張式敷具
６：結束具
７：床面
１１、１１ａ、１１ｂ：袋体
１２：貼り合せ部
１３：貼り合せ部
１４：袋体天面
１５：袋体底面
１６、１７、１７ａ、１７ｂ：掛合手段
２１、２１ａ：内包物
２２、２２ａ：天面
２３、２３ａ：底面
２４、２５：溝
３１：開閉弁
【図１】
2016026553.tif 000003
【図２】
2016026553.tif 000004
【図３】
2016026553.tif 000005
【図４】
2016026553.tif 000006
【図５】
2016026553.tif 000007
【図６】
2016026553.tif 000008
【図７】
2016026553.tif 000009